(57)【要約】【課題】  分解して折りたたむことができる組み立て式洗髪装置を提供すること。【解決手段】  組み立て式洗髪装置１０は、上向きに開口した開口部２２が形成され、下端に排水用孔部分２７が形成された漏斗状等のビニール等のフレキシブルなシート状水受部材２０と、シート状水受部材２０の開口部２２の縁２２ａを着脱自在に支えるように縁２２ａに沿って湾曲した可撓性ある棒状支持部材４０と、この棒状支持部材４０を着脱自在に支える支柱５０と、シート状水受部材２０の排水用孔部分２７が着脱自在に差し込まれる排水受け用穴６２が上面６１に形成された排水用タンク６０と、を備え、シャワー用ノズル７０により人９０の髪９２を洗ったときに使用した水をシート状水受部材２０の開口部２２にて受けることができる。【選択図】        図２
2006334211.tif 000002
【特許請求の範囲】
【請求項１】
上向きに開口した開口部が形成され、下端に排水用孔部分が形成された漏斗状等のビニール等のフレキシブルなシート状水受部材と、
前記シート状水受部材の開口部の縁を着脱自在に支えるように前記縁に沿って湾曲した可撓性ある棒状支持部材と、
この棒状支持部材を着脱自在に保持する支柱等の保持手段と、
前記シート状水受部材の排水用孔部分が着脱自在に差し込まれる排水受け用穴が上面に形成された排水用タンクと、
を備え、
前記シャワー用ノズルにより人の髪を洗ったときに使用した水を前記シート状水受部材の上向きの開口部にて受けることができることを特徴とする組み立て式洗髪装置。
【請求項２】
請求項１に記載された組み立て式洗髪装置であって、
前記棒状支持部材に取付けられ、シャワー用ノズルを着脱自在に支える支持具を備えることを特徴とする組み立て式洗髪装置。
【請求項３】
請求項１または２に記載された組み立て式洗髪装置であって、
前記シート状水受部材の排水用孔部分が筒状であり、この筒状の排水用孔部分内に挿入可能な筒状体を備え、
この筒状体の側面に複数の通水用の孔が形成されていることを特徴とする組み立て式洗髪装置。
【請求項４】
請求項１から３までのいずれかに記載された組み立て式洗髪装置であって、
前記シャワー用ノズルに接続された貯水タンクと、
この貯水タンク内の水を前記シャワー用ノズルに送るポンプを備えていることを特徴とする組み立て式洗髪装置。
【発明の詳細な説明】
【技術分野】
【０００１】
本発明は、人の髪を洗うときに使用する洗髪装置に関し、特に折りたたみが可能な組み立て式洗髪装置に関するものである。
【背景技術】
【０００２】
従来、人の髪を洗うときに使用する洗髪装置として化粧台がある。さらに携帯可能な洗髪装置もある（例えば、特許文献１参照）。この場合の洗髪装置は、上方に向けて開口部を有し、洗髪後の排水を受けるシャプーボウルと、このシャンプーボウルとの着脱が可能であり、装着時にはシャンプーボウルを所定の高さに支持固定する脚部とからなる携帯用の洗髪装置であって、前記シャンプーボウルの底部に排水孔を形成し、かつ前記シャンプーボウルの前記開口部の周縁に略Ｕ字形状の凹部を形成している洗髪装置である。さらに、補助ボウルを前記シャンプーボウルに取付けることにより前記略Ｕ字状の凹部を開口部の周縁に形成する場合もある。このため、シャンプーボウル、補助ボウルおよび脚部を分離することにより、洗髪装置を分解して携帯することができる。
【特許文献１】特開２００１−１８６９１６号
【発明の開示】
【発明が解決しようとする課題】
【０００３】
しかし、上述の従来例では、洗髪装置を分解してシャンプーボウル、補助ボウルおよび脚部に分けても、シャンプーボウルおよび補助ボウルが所定の形態を有しているので、これらを完全に折りたたむことはできないという問題があった。
そこで、本発明が解決しようとする課題は、上述の問題点を解消し、分解して折りたたむことができる組み立て式洗髪装置を提供することである。
【課題を解決するための手段】
【０００４】
上記課題を解決するため、請求項１記載の発明は、上向きに開口した開口部が形成され、下端に排水用孔部分が形成された漏斗状等のビニール等のフレキシブルなシート状水受部材と、前記シート状水受部材の開口部の縁を着脱自在に支えるように前記縁に沿って湾曲した可撓性ある棒状支持部材と、この棒状支持部材を着脱自在に保持する支柱等の保持手段と、前記シート状水受部材の排水用孔部分が着脱自在に差し込まれる排水受け用穴が上面に形成された排水用タンクと、を備え、前記シャワー用ノズルにより人の髪を洗ったときに使用した水（温水を含む。）を前記シート状水受部材の上向きの開口部にて受けることができることを特徴とする組み立て式洗髪装置である。
これにより、上向きに開口した開口部が形成され、下端に排水用孔部分が形成された漏斗状等のビニール等のフレキシブルなシート状水受部材を、前記シート状水受部材の開口部の縁を着脱自在に支えるように前記縁に沿って湾曲した可撓性ある棒状支持部材から取り外し、前記シート状水受部材の排水用孔部分が着脱自在に差し込まれる排水用タンクの排水受け用穴から前記シート状水受部材の排水用孔部分を取り外すことにより、前記シート状水受部材を折りたたむことができる。さらに、前記棒状支持部材を前記支柱等の保持手段から取り外すことができる。
【０００５】
さらに、請求項２記載の発明は、請求項１に記載された洗髪装置であって、前記棒状支持部材に取付けられ、シャワー用ノズルを着脱自在に支える支持具を備えることを特徴とする組み立て式洗髪装置である。
これにより、シャワー用ノズルを着脱自在に支える支持具が前記棒状支持部材に取付けられているので、この支持具から取り外したシャワー用ノズルを使用して洗髪をすることができる。
【０００６】
さらに、請求項３記載の発明は、請求項１または２に記載された組み立て式洗髪装置であって、前記シート状水受部材の排水用孔部分が筒状であり、この筒状の排水用孔部分内に挿入可能な筒状体を備え、この筒状体の側面に複数の通水用の孔が形成されていることを特徴とする組み立て式洗髪装置である。
これにより、前記フレキシブルなシート状水受部材の筒状の排水用孔部分に筒状体を挿入することにより、前記シート状水受部材の筒状の排水用孔部分の形を筒状に保ち、かつ、前記筒状体の側面に形成された複数の通水用の孔により、前記シート状水受部材内に溜まった水を排水することができる。
【０００７】
さらに、請求項４記載の発明は、請求項１から３までのいずれかに記載された組み立て式洗髪装置であって、前記シャワー用ノズルに接続された貯水タンクと、この貯水タンク内の水を前記シャワー用ノズルに送るポンプを備えていることを特徴とする組み立て式洗髪装置である。
これにより、前記シャワー用ノズルに接続された貯水タンク内の水をポンプが前記シャワー用ノズルに送るので、シャワー用ノズルから洗髪に使用する水を噴出させることができる。
【発明の効果】
【０００８】
請求項１記載の発明によれば、折りたたみ式洗髪装置を構成することができる。そして、前記折りたたみ式洗髪装置を使用しないときは、この洗髪装置を分解してそのシート状水受部材を折りたたむことができるので、この洗髪装置の保管および搬送が容易である。
さらに、請求項２記載の発明によれば、請求項１記載の発明の効果とともに、シャワー用ノズルを使用して洗髪することが容易になる。
さらに、請求項３記載の発明によれば、請求項１または２記載の発明の効果とともに、
洗髪に使用した水を排水用タンクに導くことが容易になる。
さらに、請求項４記載の発明によれば、請求項１から３までのいずれかに記載の発明の効果とともに、シャワー用ノズルから噴出する水により容易に洗髪をすることができる。
【発明を実施するための最良の形態】
【０００９】
以下、本発明における実施の形態を図面に基づいて説明する。
図１は本発明の実施に係る組み立て式洗髪装置を示し、図２に図１の組み立て式洗髪装置の使用状態を示す。さらに、図３は図１の組み立て式洗髪装置のシート状水受部材を示し、図４は前記シート状水受部材の開口部を支える棒状支持部材を一部切欠いて示し、図５は前記棒状支持部材の心材支持部材の平面を示し、図６は図５の心材支持部材の正面を示し、図７は前記シート状水受部材の平面を示し、図８は前記シート状水受部材の正面を示し、図９は前記シート状水受部材の排水用孔部分に使用する筒状体を示し、図１０はシャワー用ノズル等を示す。さらに、図１１は前記組み立て式洗髪装置の他の使用例を示し、図１２（ａ）は図１１の他の使用例に使用する頭支え具を示し、図１２（ｂ）は前記頭支え具の使用状態を示す。
【００１０】
図１に示すように、組み立て式洗髪装置１０は、上向きに開口した開口部２２が形成され、下端に排水用孔部分２７が形成された漏斗状のビニール等のフレキシブルなシート状水受部材２０と、シート状水受部材２０の開口部２２の縁２２ａを着脱自在に支えるように縁２２ａに沿って湾曲した可撓性ある棒状支持部材４０と、この棒状支持部材４０を着脱自在に支える支柱５０と、シート状水受部材２０の排水用孔部分２７が着脱自在に差し込まれる排水受け用穴６２が上面６１に形成され、かつ、支柱５０の下端を支える排水用タンク６０とを備えている。
【００１１】
ここで、シート状水受部材２０の漏斗状部２１の上端に開口部２２の縁２２ａが形成されている。そして、図３に示すように、この縁２２ａに第１重合部２３および第２重合部２４が形成され、第１重合部２３と第２重合部２４との一方の間の縁２２ａに第１折曲片２５が連成され、第１重合部２３と第２重合部２４との他方の間の縁２２ａに第２折曲片２６が連成されている（図７および図８参照）。そして、第１および第２重合部２３、２４を挿通するように棒状支持部材４０が挿通することにより、棒状支持部材４０がシート状水受部材２０の開口部２２の縁２２ａを支えている。また、第２折曲片２６は棒状支持部材４０上にて外側に折り曲げられている。
また、図４に示すように、棒状支持部材４０の一端４１に弾性あるコイル状部材４７の一端が連結され、コイル状部材４７の他端にはコネクタの雄材４８ａが連結され、棒状支持部材４０の他端４２にはコネクタの雌材４８ｂが連結され、前記雄材４８ａは前記雌材４８ｂに着脱自在に係合されている。そして、図３に示すように、第１折曲片２５はコイル状部材４７上で外側に折り曲げられている。このため、組み立て式洗髪装置１０を使用する場合において、図２に示すように、人９０の体が第１折曲片２５を上から下に押すような状態になったときには、コイル状部材４７が下方に押されて伸びるので、人９０の姿勢を洗髪しやすい姿勢にすることができる。このため、第１折曲片２５と人９０の体との間にクッションを配置する必要がない。
【００１２】
また、図４に示すように、棒状支持部材４０は可撓性あるステンレス等の金属パイプ状の心材４３と心材４３を取り巻く第１および第２表皮材４４ａ、４４ｂを備えている。心材４１は筒状の心材支持部材４５を挿通するように心材支持部材４５に固定され、第１表皮材４４ａと第２表皮材４４ｂの間に心材支持部材４５が配設されている。
図５および図６に示すように、心材支持部材４５には支柱取付部材４５ａが溶接等により固定されている。
図１に示す支柱５０は棒状の上側部材５１および筒状の下側部材５２を備え、上側部材５１は下側部材５２内を摺動可能であり、固定具５３が上側部材５１と下側部材５２との位置関係を固定している。これにより、支柱５０の長さを伸縮することができる。
図６に示すように支柱取付部材４５ａは支柱５０の上側部材５１の上端に着脱自在に取付けられている。具体的には、上側部材５１の上端に四角筒状のキャップ状の支柱取付部材４５ａが着脱自在に被せられている。
さらに、シャワー用ノズル７０を着脱自在に支える支持具４６が棒状支持部材４０に取付けられている。
【００１３】
排水用タンク６０の上面６１の端部には支柱５０の下側部材５２の下端部を着脱自在に保持する穴６３が成されている。また、排水タンク６０の側面には排水口およびその開閉可能な蓋６４が設けられている。
【００１４】
図３に示すように、シート状水受部材２０の排水用孔部分２７が筒状であり、この筒状の排水用孔部分２７内に挿入可能な筒状体３０を備えている。図９に示すように、筒状体３０の側面３１に複数の通水用の孔３２が形成されている。各孔３２は縦長の孔であり、各孔３２の上下方向の位置は互いに重なっている。このため、側面３１の上端部から下端部までいずれかの孔３２が形成されているので、しシート状水受部材２０内の水の排出が容易になる。また、筒状体３０の径は上方になるほど大になっている。このため、筒状体３０の上側開口部３３は下側開口部３４より広くなっているとともに、筒状体３０が排水用孔部分２７から下方に抜け落ちることを防ぐことができる。
【００１５】
図１に示すように、シャワー用ノズル７０に接続された貯水タンク７１（蓋７１ａを有している。）を備えている。そして、図１０に示すように、この貯水タンク７１内の水をシャワー用ノズル７０に送るポンプ７２を備えている。具体的には、交流電源用コンセント７５に電源オンオフ用フートスイッチ７７がコード７８ａにより接続され、さらに、コンセント７６がコンセント７５に接続され、コンセント７６がコード７８ｂによりスイッチ７４ａ付きの電源ボックス７４に接続され、ポンプ７２がコード７８ｃにより電源ボックス７４に接続されている。そして、ポンプ７４はホース７３によりシャワー用ノズル７０に接続されている。このため、フートスイッチ７７およびスイッチ７４ａがオンになるとポンプ７２が貯水タンク７１内の水（温水を含む。）をシャワー用ノズル７０におくり、この水がシャワー用ノズル７０から噴出する。
【００１６】
上記構成の組み立て式洗髪装置１０は以下の動作をする。
図２に示すように、老人等の介護が必要な人９０が車椅子８０のシート８１（図１参照）に腰掛けて、足台８５に足９３を載せている。なお、８２は背もたれであり、８３はサイドリングであり、８４は前輪である。この場合、排水用タンク６０は一対の足台９３の間に置くことができる大きさのものである。そして、介護人がその手９５でシャワー用ノズル７０を掴んでいる。シャワー用ノズル７０から噴出する水７０ａにより人９０の頭９１の髪９２を洗ったときに使用した水をシート状水受部材２０の上向きの開口部２２にて受けることができる。
なお、シャワー用ノズル７０を着脱自在に支える支持具４６が棒状支持部材４０に取付けられているので、この支持具４６から取り外したシャワー用ノズル７０を使用して洗髪をすることができる。
また、フレキシブルなシート状水受部材２０の筒状の排水用孔部分２７に筒状体３０を挿入することにより、シート状水受部材２０の筒状の排水用孔部分２７の形を筒状に保ち、かつ、筒状体３０の側面３１に形成された複数の通水用の孔３２により、シート状水受部材２０の漏斗状部分２１内に溜まった水を容易に排水することができる。
また、シャワー用ノズル７０に接続された貯水タンク７１内の水をポンプ７２がシャワー用ノズル７０に送るので、シャワー用ノズル７０から洗髪に使用する水７０ａを噴出させることができる。
【００１７】
組み立て式洗髪装置１０を使用しないときは、シート状水受部材２０の開口部２２の縁２２ａを可撓性ある棒状支持部材４０から取り外し、シート状水受部材２０の排水用孔部分２７を排水用タンク６０の排水受け用穴６２から取り外すことにより、シート状水受部材２０を折りたたむことができる。さらに、棒状支持部材４０を支柱５０から取り外すことができる。このため、折りたたみ式洗髪装置１を分解して、そのシート状水受部材２０を折りたたむことができる。
【００１８】
なお、図１１に示すように、車椅子８０の座った人９０が仰向いた状態でその髪９２を組み立て式洗髪装置１０で洗うこともできる。この場合、図１２（ａ）に示す頭支え具８６を使用すると便利である。この頭支え具８６は枕８７、枕８７を支える支持板８８、支持板８８を支える筒状体８９及びネジ８９ａを備えている。そして、支持板８８は筒状体８９内を摺動することができ、ネジ８９ａは支持板８８と筒状体８９との位置関係を固定することができる。このため、枕８７から筒状体８９の下端までの距離を変えることができる。図１２（ｂ）に示すように、シート８１と背もたれ８２で支えられた頭支え具８６で人９０の頭９１を下から支えるようにすると、髪９２を洗髪する人９０の姿勢を保つことが容易になる。
また、シート状水受部材２０は漏斗状でなくてもよい。開口部２２および排水用孔部分２７との間の形状を任意に構成することができる。
また、支柱５０の代わりに、棒状支持部材４０を着脱自在に吊り下げる手段等の保持手段を使用することもできる。
また、人９０は車椅子８０に座った場合に限らず、椅子に座った場合、ベッドに横になった場合等でもよい。また、これらの場合において、必要に応じて頭支え具８６を使用することもできる。
また、人９０は介護が必要な人に限定されず、介護が不要な人でもよい。
【図面の簡単な説明】
【００１９】
【図１】本発明の実施に係る組み立て式洗髪装置を示す斜視図である。
【図２】図１の組み立て式洗髪装置の使用状態を示す斜視図である。
【図３】図１の組み立て式洗髪装置のシート状水受部材を示す斜視図である。
【図４】前記シート状水受部材の開口部を支える棒状支持部材を示す一部切欠いて平面図である。
【図５】前記棒状支持部材の心材支持部材の平面図である。
【図６】図５の心材支持部材の正面図である。
【図７】前記シート状水受部材の平面図である。
【図８】前記シート状水受部材の正面図である。
【図９】前記シート状水受部材の排水用孔部分に使用する筒状体を示す斜視図である。
【図１０】シャワー用ノズル等を示す説明図である。
【図１１】前記組み立て式洗髪装置の他の使用例を示す斜視図である。
【図１２】（ａ）は図１１の他の使用例に使用する頭支え具を示す斜視図であり、（ｂ）は前記頭支え具の使用状態を示す説明図である。
【符号の説明】
【００２０】
１０  組み立て式洗髪装置
２０  シート状水受部材
２２  開口部
２２ａ  開口部の縁
２７  排水用孔部分
３０  筒状体
３１  側面
３２  孔
４６  シャワー用ノズル保持具
５０  支柱（保持手段）
６０  排水用タンク
６１  上面
６２  排水用受け孔
７０  シャワー用ノズル
７１  貯水タンク
７３  ホース
９０  人
９２  髪
【図１】
2006334211.tif 000003
【図２】
2006334211.tif 000004
【図３】
2006334211.tif 000005
【図４】
2006334211.tif 000006
【図５】
2006334211.tif 000007
【図６】
2006334211.tif 000008
【図７】
2006334211.tif 000009
【図８】
2006334211.tif 000010
【図９】
2006334211.tif 000011
【図１０】
2006334211.tif 000012
【図１１】
2006334211.tif 000013
【図１２】
2006334211.tif 000014